(57)【特許請求の範囲】
【請求項１】
カレンダー用紙に糊を付ける糊付けステップと、上記糊付けステップで上記糊が付けられたカレンダー用紙を所定の枚数だけ順番に貼り合せる貼付けステップと、上記貼付けステップで上記所定の枚数だけ順番に貼り合せられたカレンダー用紙を型抜きして所望の外形に成形する型抜きステップとを備えたカレンダー生産方法において、
上記糊付けステップでは、糊吸収材を一方の面に適宜配置した弾性シート材を円筒の側面に巻き付けて上記糊吸収材に糊を吸収させるとともに、上記円筒をその中心軸周りに回転させて上記カレンダー用紙の上を転がし、上記糊吸収材から上記カレンダー用紙に上記糊を転写することを特徴とするカレンダー生産方法。
【請求項２】
カレンダー用紙に糊を付ける糊付け手段と、上記糊付け手段により上記糊が付けられたカレンダー用紙を所定の枚数だけ順番に貼り合せた後に、この所定の枚数だけ順番に貼り合せられたカレンダー用紙を型抜きして所望の外形に成形する型抜き手段とを備えたカレンダー生産装置において、
上記糊付け手段は、糊吸収材を一方の面に適宜配置した弾性シート材が側面に巻き付けられて上記糊吸収材で糊を吸収するとともに、中心軸周りに回転してカレンダー用紙の上を転がり、上記糊吸収材から上記カレンダー用紙に上記糊を転写する円筒を備えることを特徴とするカレンダー生産装置。
【発明の詳細な説明】
【技術分野】
【０００１】
この発明は、所定の枚数だけ順番に貼り合せたカレンダー用紙を型抜きして得られる捲り取りカレンダーを生産するためのカレンダー生産方法及びカレンダー生産装置に係るものである。また、この発明は、カレンダー生産装置により生産された捲り取りカレンダーに関するものである。
【背景技術】
【０００２】
このようなカレンダー生産方法は、例えば特許文献１に開示されている。この特許文献１では、１月から１２月までの日付及び曜日が表面に印刷されたカレンダー用紙を１２枚重ね、その上部を熱圧着により綴じ部とし、その下部を捲り取り部とする。綴じ部と捲り取り部との境界部分にはミシン目を入れ、全体を葡萄の房のデザインに型抜きし、捲り取りカレンダーとしている。
【先行技術文献】
【特許文献】
【０００３】
【特許文献１】実用新案登録第２５８３７８７号
【発明の概要】
【発明が解決しようとする課題】
【０００４】
従来のカレンダー生産方法は以上のように構成されているので、各月のカレンダー用紙を熱圧着により貼り合せているため、接着力の問題からかなりの長さ及び幅を持った綴じ部が一箇所にどうしても必要となり、捲り取りカレンダーの外形のデザインが制約されてしまうという課題があった。
【０００５】
また、従来のカレンダー生産方法は、捲り取りカレンダーを一部ずつ型抜きしているため、生産効率が悪いという課題があった。
【０００６】
この発明は上記の課題を解決するためになされたもので、綴じ部に制約されることなく、捲り取りカレンダーの外形のデザイン性を向上することが可能なカレンダー生産方法及びカレンダー生産装置を提供することを目的とする。
【０００７】
また、この発明は、捲り取りカレンダーの生産効率を高めることが可能なカレンダー生産方法及びカレンダー生産装置を提供することを目的とする。
【０００８】
さらに、この発明は、従来と比較して、その外形のデザイン性を向上させた捲り取りカレンダーを提供することを目的とする。
【課題を解決するための手段】
【０００９】
この発明に係るカレンダー生産方法は、カレンダー用紙に糊を付ける糊付けステップと、上記糊付けステップで上記糊が付けられたカレンダー用紙を所定の枚数だけ順番に貼り合せる貼付けステップと、上記貼付けステップで上記所定の枚数だけ順番に貼り合せられたカレンダー用紙を型抜きして所望の外形に成形する型抜きステップとを備えるようにしたものである。
【００１０】
この発明に係るカレンダー生産方法は、上記糊付けステップでは、円筒の側面に配置した糊吸収材に糊を吸収させるとともに、上記円筒をその中心軸周りに回転させて上記カレンダー用紙の上を転がし、上記糊吸収材から上記カレンダー用紙に上記糊を転写するようにしたものである。
【００１１】
この発明に係るカレンダー生産方法は、上記糊付けステップでは、上記カレンダー用紙を仮想的に分割した複数の領域に対し上記糊をそれぞれ付け、上記型抜きステップでは、上記所定の枚数だけ順番に貼り合せられたカレンダー用紙の複数の領域のうちの少なくとも２つずつを同時に型抜きするようにしたものである。
【００１２】
この発明に係るカレンダー生産装置は、カレンダー用紙に糊を付ける糊付け手段と、上記糊付け手段により上記糊が付けられたカレンダー用紙を所定の枚数だけ順番に貼り合せた後に、この所定の枚数だけ順番に貼り合せられたカレンダー用紙を型抜きして所望の外形に成形する型抜き手段とを備えるようにしたものである。
【００１３】
この発明に係るカレンダー生産装置は、上記糊付け手段は、側面に配置された糊吸収材で糊を吸収するとともに、中心軸周りに回転してカレンダー用紙の上を転がり、上記糊吸収材から上記カレンダー用紙に上記糊を転写する円筒を備えるようにしたものである。
【００１４】
この発明に係るカレンダー生産装置は、上記糊付け手段は、上記カレンダー用紙を仮想的に分割した複数の領域に対し上記糊をそれぞれ付け、上記型抜き手段は、上記所定の枚数だけ順番に貼り合せられたカレンダー用紙の複数の領域のうちの少なくとも２つずつを同時に型抜きするようにしたものである。
【００１５】
この発明に係る捲り取りカレンダーは、請求項４から請求項６のうちのいずれか１項記載のカレンダー生産装置によって生産されるようにしたものである。
【発明の効果】
【００１６】
この発明によれば、カレンダー用紙に糊を付ける糊付けステップと、上記糊付けステップで上記糊が付けられたカレンダー用紙を所定の枚数だけ順番に貼り合せる貼付けステップと、上記貼付けステップで上記所定の枚数だけ順番に貼り合せられたカレンダー用紙を型抜きして所望の外形に成形する型抜きステップとを備えるようにしたので、捲り取りカレンダーの外形に合わせて綴じ部を適宜配置することができ、したがって綴じ部に制約されることなく、捲り取りカレンダーの外形のデザイン性を向上することができる。
【００１７】
この発明によれば、上記糊付けステップでは、円筒の側面に配置した糊吸収材に糊を吸収させるとともに、上記円筒をその中心軸周りに回転させて上記カレンダー用紙の上を転がし、上記糊吸収材から上記カレンダー用紙に上記糊を転写するようにしたので、中心軸の周りに回転する円筒を糊の転写に用いることで、糊付けのオートメーション化を容易に実現することができる。
【００１８】
この発明によれば、上記糊付けステップでは、上記カレンダー用紙を仮想的に分割した複数の領域に対し上記糊をそれぞれ付け、上記型抜きステップでは、上記所定の枚数だけ順番に貼り合せられたカレンダー用紙の複数の領域のうちの少なくとも２つずつを同時に型抜きするようにしたので、捲り取りカレンダーの生産効率を高めることができる。
【００１９】
この発明によれば、カレンダー用紙に糊を付ける糊付け手段と、上記糊付け手段により上記糊が付けられたカレンダー用紙を所定の枚数だけ順番に貼り合せた後に、この所定の枚数だけ順番に貼り合せられたカレンダー用紙を型抜きして所望の外形に成形する型抜き手段とを備えるようにしたので、捲り取りカレンダーの外形に合わせて綴じ部を適宜配置することができ、したがって綴じ部に制約されることなく、捲り取りカレンダーの外形のデザイン性を向上することができる。
【００２０】
この発明によれば、上記糊付け手段は、側面に配置された糊吸収材で糊を吸収するとともに、中心軸周りに回転してカレンダー用紙の上を転がり、上記糊吸収材から上記カレンダー用紙に上記糊を転写する円筒を備えるようにしたので、中心軸の周りに回転する円筒を糊の転写に用いることで、糊付けのオートメーション化を容易に実現することができる。
【００２１】
この発明によれば、上記糊付け手段は、上記カレンダー用紙を仮想的に分割した複数の領域に対し上記糊をそれぞれ付け、上記型抜き手段は、上記所定の枚数だけ順番に貼り合せられたカレンダー用紙の複数の領域のうちの少なくとも２つずつを同時に型抜きするようにしたので、捲り取りカレンダーの生産効率を高めることができる。
【００２２】
この発明によれば、請求項４から請求項６のうちのいずれか１項記載のカレンダー生産装置によって生産されるようにしたので、外形のデザイン性を向上させた捲り取りカレンダーを提供することができる。
【図面の簡単な説明】
【００２３】
【図１】この発明の実施の形態１によるカレンダー生産方法のフローチャートを示す図である。
【図２】図１のカレンダー生産方法に用いる糊板の構成を示す正面図及び側面図である。
【図３】図１のカレンダー生産方法における糊付け工程の様子を模式的に示す側面図である。
【図４】図１のカレンダー生産方法における型抜き工程を説明するための斜視図である。
【図５】図１のカレンダー生産方法によって生産した捲り取りカレンダーの具体例を示す外観図である。
【図６】糊板によってカレンダー用紙に転写した糊付けパターンの変型例を示す図である。
【発明を実施するための形態】
【００２４】
以下、この発明の実施の形態について、図面を参照しつつ詳細に説明する。なお、各図面において、同一の又は相当する構成要素については同一の又は相当する符号を付してある。
【００２５】
実施の形態１．
図１はこの発明の実施の形態１によるカレンダー生産方法のフローチャートを示す図である。
図１において、まず、これから生産する捲り取りカレンダーを例えば１月から１２月までのものとし、変数ｋの初期値を１２と決める（ステップＳＴ１）。なお、ここでは、表紙及び台紙も備えた捲り取りカレンダーを考えており、ｋ＝０は表紙を、ｋ＝１３は台紙をそれぞれ指す。
【００２６】
次に図２（ａ），（ｂ）の正面図及び側面図に示すような糊板１０を用意する（ステップＳＴ２）。この糊板１０は、ポリプロピレン製などの弾性シート材１１と、スポンジなどの糊吸収材１２とから構成されている。弾性シート材１１の一方の面は３行×２列の複数の領域に仮想的に分割されており、これら各領域において、糊吸収材１２を捲り取りカレンダーの外形のデザインに応じてそれぞれ適宜配置することができる。
【００２７】
続いて図３の糊付け工程に示すように、円筒型の糊付けローラ２０の側面に、糊吸収材１２が外側を向くように糊板１０を巻き付ける（ステップＳＴ３）。それから、この糊付けローラ２０と、同じく円筒型の糊均しローラ３０，４０とを、互いに平行な各中心軸ｒ２，ｒ３，ｒ４の周りにそれぞれ反時計方向、順時計方向、反時計方向に回転させ、糊供給手段５０から落下する糊Ｐを、糊均しローラ３０，４０の両側面で受けて均す。糊均しローラ３０，４０から余って落下する糊Ｐは容器などの糊受け手段６０で受ける。
【００２８】
糊均しローラ３０の側面に付着した糊Ｐは、糊均しローラ３０の回転にともなって糊付けローラ２０の糊吸収材１２に吸収される。ここで、糊付けローラ２０の下部に配置したベルトコンベアなどの不図示の搬送手段によりｋ＝１２枚目のカレンダー用紙７０（１２月分）を搬送すると、ｋ＝１２枚目のカレンダー用紙７０（１２月分）の裏面に対し、糊吸収材１２から糊Ｐが転写される（糊付けステップＳＴ４）。糊付けローラ２０，糊均しローラ３０，４０の各回転とカレンダー用紙７０の搬送とは同期させてあるので、ちょうど糊付けローラ２０が回転しながらカレンダー用紙７０の裏面上を転がる形になる。
【００２９】
このようにして、図２（ａ）に示した糊板１０の糊吸収材１２の配置パターンの通りに糊Ｐが転写されると、ｋ＝１２枚目のカレンダー用紙７０の裏面を、ｋ＝１２＋１＝１３枚目のカレンダー用紙７０（台紙）の表面に貼り合わせる（貼付けステップＳＴ５）。次いで、ｋをデクリメントし（ステップＳＴ６）、ｋ＜０となったかどうかを判定する（ステップＳＴ７）。ここではステップＳＴ６によりｋ＝１１となっていて貼り合せるべきカレンダー用紙７０がまだ残っているので（ステップＳＴ７でＮｏ）、ｋ＜０となるまで上記と同様の工程を順次繰り返していく（ステップＳＴ４〜ＳＴ６）。
【００３０】
そして上記の糊付け工程及び貼り合せ工程が進んでいき、ｋ＝０枚目のカレンダー用紙７０（表紙）の裏面に糊Ｐを転写して（ステップＳＴ４）ｋ＝０＋１＝１枚目のカレンダー用紙７０（１月分）の表面に貼り合わせると（ステップＳＴ５）、ステップＳＴ６でｋがデクリメントされてｋ＜０となって（ステップＳＴ７でＹｅｓ）ループから抜け出す。
【００３１】
ループから抜け出すと、順番に貼り合わせた計１４枚のカレンダー用紙７０（表紙、１〜１２月分及び台紙）の糊Ｐが乾燥するのを待ってから、捲り取り用のミシン目を入れる（ステップＳＴ８）。なお、ミシン目は、糊Ｐを転写する前から各カレンダー用紙７０に入れておくようにしても良い。
【００３２】
最後に図４に示すように、ステップＳＴ８でミシン目を入れた計１４枚のカレンダー用紙７０をトムソン加工機などの型抜き手段８０にかけて、カレンダー用紙７０に抜き型８１で型抜きをし、所望の外形に成形する（型抜きステップＳＴ９）。この型抜きの際に、この実施の形態１では、同一の型２つを１行×２列に配置した抜き型８１を用意し、３行×２列の領域を持つカレンダー用紙７０から同時に１行×２列ずつ計３回型抜きし、全部で６つの捲り取りカレンダーを生産している。このようにすることで、捲り取りカレンダーの生産効率を高めることができる。
【００３３】
こうして完成した捲り取りカレンダーの具体例を図５に示す。図５において、９０は飛行機型の外形に形成された捲り取りカレンダー、９１は糊吸収材１２から糊Ｐが転写された綴じ部、９２は１月から１２月までの日付及び曜日が表面に印刷された捲り取り部、９３は綴じ部９１と捲り取り部９２との境界部分に入れられたミシン目である。
【００３４】
このように、各領域において、捲り取りカレンダー９０の外形のデザインに合わせて弾性シート材１１に糊吸収材１２を適宜配置し、これによりカレンダー用紙７０の裏面に糊Ｐを転写して貼り合せているので、捲り取りカレンダー９０の外形に合わせて綴じ部９１を適宜配置することができ、したがって綴じ部９１に制約されることなく、捲り取りカレンダー９０の外形のデザイン性を高めることができる。この図５以外にも、例えば図６に示すように、様々な糊付けパターンの綴じ部９１を得ることが可能である。
【００３５】
加えて、図４でも説明したように、３行×２列の６つの領域を持つカレンダー用紙７０から、１行×２列の型を持つ抜き型８１によって同時に１行×２列の２つずつ型抜きしているので、従来と比較して、捲り取りカレンダー９０の生産効率を高めることができる。
【００３６】
なお、カレンダー用紙７０の領域の数（３行×２列）や型抜き手段８０の抜き型８１の数（１行×２列）は、設計に応じて変更することができる。つまり、カレンダー用紙７０を複数の領域に仮想的に分割し、少なくとも２つの型を持つ抜き型８１を用いて、カレンダー用紙７０の複数の領域のうちの少なくとも２つずつを同時に型抜きするようにすればよい。
【００３７】
また、捲り取りカレンダー９０において、表紙（ｋ＝０）や台紙（ｋ＝１３）はこの発明に必須のものではなく、表紙や台紙のない捲り取りカレンダー９０を生産することも可能である。加えて、捲り取りカレンダー９０は、１月から１２月までのもの（ｋ＝１２）に限定されるわけではなく、例えば日捲りの捲り取りカレンダーであっても良い。
【００３８】
さらに、糊板１０は必須の構成要素ではなく、例えば、糊付けローラ２０の側面に糊吸収材１２を直接配置するなど、糊板１０を用いない形態も考えられる。
【００３９】
さらに、図３の糊付け工程において、糊供給手段５０及び糊均しローラ３０，４０は必須の構成要素ではなく、糊付けローラ２０の糊吸収剤１２に糊Ｐを吸収させられるものであれば、他の構成であっても良い。例えば、図３の糊受け手段６０に糊Ｐを満たしておき、糊受け手段６０内の糊Ｐに糊均しローラ３０の側面の一部を浸して糊付けローラ２０の糊吸収剤１２に糊Ｐを吸収させても良い。
【００４０】
さらに、糊付けローラ２０の糊吸収材１２からカレンダー用紙７０への糊Ｐの転写は図３の構成に限定されるものではない。例えば、カレンダー用紙７０を静止させておき、カレンダー用紙７０の裏面上を糊付けローラ２０が転がって糊吸収材１２から糊Ｐを転写するようにしても良い。中心軸ｒ２の周りに回転する円筒型の糊付けローラ２０を糊Ｐの転写に用いることで、糊付けのオートメーション化を容易に実現することができる。
【００４１】
糊付けローラ２０を用いない糊付け方法も考えられる。例えば、弾性シート材１１に代えて、剛性のある平板などに糊吸収材１２を適宜貼り付けて形成した判子状の糊板（糊付け手段）を、静止させたカレンダー用紙７０の裏面に押し当てて糊Ｐを転写するようにしても良い。
【００４２】
また例えば、シルクスクリーンの技法からヒントを得て、シートや平板などに糊Ｐの通過穴を適宜形成した版（糊付け手段）を用意し、この版をカレンダー用紙７０の裏面に押し当てて版の全面に糊Ｐを塗り、通過穴を介してカレンダー用紙７０の裏面に糊Ｐを付けるようにしても良い。
【００４３】
このように、糊付けは様々な方法で行うことが可能であり、いずれの方法であっても、捲り取りカレンダーを糊付けにより生産することで、捲り取りカレンダーの外形に合わせて綴じ部を適宜配置することができ、したがって綴じ部に制約されることなく、捲り取りカレンダーの外形のデザイン性を向上することができる。
【符号の説明】
【００４４】
１０  糊板（糊付け手段）
１１  弾性シート材
１２  糊吸収材
２０  糊付けローラ（糊付け手段）
３０，４０  糊均しローラ（糊付け手段）
５０  糊供給手段（糊付け手段）
６０  糊受け手段（糊付け手段）
７０  カレンダー用紙
８０  型抜き手段
８１  抜き型
９０  捲り取りカレンダー
９１  綴じ部
９２  捲り取り部
９３  ミシン目
ｒ２〜ｒ４  中心軸
Ｐ  糊
【要約】
【課題】
各月のカレンダー用紙を熱圧着により貼り合せているため、接着力の問題からかなりの長さ及び幅を持った綴じ部が一箇所にどうしても必要となり、捲り取りカレンダーの外形のデザインが制約されてしまうという課題があった。
【解決手段】
糊付けローラ２０の側面に配置した糊吸収材１２に糊Ｐを吸収させるとともに、糊付けローラ２０をその中心軸ｒ２周りに回転させてカレンダー用紙７０の上を転がし、糊吸収材１２からカレンダー用紙７０に糊Ｐを転写する糊付けステップＳＴ４と、糊付けステップＳＴ４で糊Ｐが転写されたカレンダー用紙７０を所定の枚数だけ順番に貼り合せる貼付けステップＳＴ５と、貼付けステップＳＴ５で所定の枚数だけ順番に貼り合せられたカレンダー用紙７０を型抜きして所望の外形に成形する型抜きステップＳＴ９とを備える。
【選択図】        図１【図１】
0005755787.tif 000002
【図２】
0005755787.tif 000003
【図３】
0005755787.tif 000004
【図４】
0005755787.tif 000005
【図５】
0005755787.tif 000006
【図６】
0005755787.tif 000007